(57)【要約】【課題】運動量ではなくユーザの生体情報から簡易に目標値を設定することができるとともに、この目標値を設定するにあたっては、目標値をユーザの現在の状態に近い状態に細かに設定しユーザのモチベーションを維持することでユーザが理想の体型となるための支援を行う理想体型支援装置を提供する。【解決手段】ユーザの生体情報を入力する入力手段１ｆと、ＢＭＩ値と体脂肪率の値から構成される体型判定表を記憶する記憶手段１ｉと、入力されたユーザの生体情報からユーザの体型が体型判定表のどの領域に該当するかを判定する判定手段２ｂと、ユーザの現在の体型を基に目標となるＢＭＩ値と体脂肪率の値を設定する目標値設定手段２ｃと、目標値のうちＢＭＩ値を体重の値に変換する変換手段２ｄと、体重と体脂肪率の値を目標値として表示する表示手段１ｇとを備える。【選択図】  図２
2008027293.tif 000002
【特許請求の範囲】
【請求項１】
ユーザの生体情報を入力する入力手段と、
ＢＭＩ値と体脂肪率の値から構成される体型判定表を記憶する記憶手段と、
前記入力されたユーザの生体情報から、前記ユーザの体型が前記体型判定表のどの領域に該当するかを判定する判定手段と、
前記判定手段によって判定された前記ユーザの現在の体型を基に目標となるＢＭＩ値と体脂肪率の値を設定する目標値設定手段と、
前記目標となるＢＭＩ値を体重の値に変換する変換手段と、
体重と体脂肪率の値を目標値として表示する表示手段と、
を備えることを特徴とする理想体型支援装置。
【請求項２】
前記入力されるユーザの生体情報は、ＢＭＩ値及び体脂肪率の値であることを特徴とする請求項１に記載の理想体型支援装置。
【請求項３】
前記入力されるユーザの生体情報は、体重値、身長値及び体脂肪率の値であることを特徴とする請求項１に記載の理想体型支援装置。
【請求項４】
前記入力されたユーザの体重値及び身長値からＢＭＩ値を算出する算出手段を備えることを特徴とする請求項３に記載の理想体型支援装置。
【請求項５】
前記目標値設定手段は、前記ユーザの生体情報の現在の数値が直近の目標値を達成していない場合であっても前記現在の数値を基に目標値を設定するのではなく、前記直近の目標値を新たな目標値として改めて設定することを特徴とする請求項１ないし請求項４のいずれかに記載の理想体型支援装置。
【請求項６】
前記目標値設定手段の目標値の設定にあたり、前記現在の数値を基に目標値を設定するよう、前記直近の目標値を新たな目標値として改めて設定することを解除する解除手段を備えることを特徴とする請求項５に記載の理想体型支援装置。
【請求項７】
前記変換手段は、前記記憶手段に記憶された複数のＢＭＩ値または体脂肪率の値または体重のいずれかの情報を基に所定期間の変化率に変換することを特徴とする請求項１ないし請求項６のいずれかに記載の理想体型支援装置。
【発明の詳細な説明】
【技術分野】
【０００１】
本発明は、ユーザの生体情報を基礎として目標値を示すことで、ユーザが理想の体型となるための支援を行う装置に関する。
【背景技術】
【０００２】
従来より、個人で運動を行い、或いはトレーナーや医師等の指導の下で運動を行うことで、例えば、生活習慣病の予防やダイエットのために体重を落とす、或いは体脂肪率の値を適正な値にするといったことが行われている。その方法の一つとして、例えば以下の特許文献１には、ユーザの身体に装着されてその運動量を計測して記録する運動量記録器によって記録された一定期間の運動量データをユーザの個人データとともにユーザ側端末から電気通信回線を介してサーバに送信し、このサーバでは運動量データと個人データとを解析して設定された所定の運動アドバイスデータをユーザ側端末に返信する運動アドバイス提供システムが開示されている。
【特許文献１】特開２００１−２８６４４６号公報
【発明の開示】
【発明が解決しようとする課題】
【０００３】
しかしながら、上記特許文献１に開示されている運動アドバイス提供システムでは、運動量を見てアドバイスを行うため、運動をしなければ適切なアドバイスの提供を受けることができない。しかもこのアドバイスの提供を受けるには、運動量を記録するためにユーザが運動量記録器を装着して運動をしなければならないため、記録器の装着に手間がかかる等、運動を簡易に行うことは難しい。また、簡易に運動することができないと、ユーザの運動をしようというモチベーションが下がることにもなりかねない。さらに、そもそも運動量記録器によって運動量を適切に計測することは困難であることが多い。
【０００４】
また、各人が理想とする体型はそれぞれ異なり、得てしてその理想は高くなりがちである。そのような前提で運動のコースが選択されると、その目標が現在の自己の体脂肪率の値や体重（体型）からは離れたところに設定されてしまう。このような状態では、ユーザが運動をすることによって目標をクリアしたとの達成感がなく、その目標に到達する前に挫折することも考えられる。
【０００５】
本発明は上記課題を解決するためになされたものであり、本発明の目的は、運動量ではなくユーザの生体情報から簡易に目標値を設定することができるとともに、この目標値を設定するにあたっては、目標値をユーザの現在の状態に近い状態に細かに設定しユーザのモチベーションを維持することでユーザが理想の体型となるための支援を行う理想体型支援装置を提供することである。
【課題を解決するための手段】
【０００６】
本発明の実施の形態に係る特徴は、理想体型支援装置において、ユーザの生体情報を入力する入力手段と、ＢＭＩ値と体脂肪率の値から構成される体型判定表を記憶する記憶手段と、入力されたユーザの生体情報から、ユーザの体型が体型判定表のどの領域に該当するかを判定する判定手段と、判定手段によって判定されたユーザの現在の体型を基に目標となるＢＭＩ値と体脂肪率の値を設定する目標値設定手段と、目標となるＢＭＩ値を体重の値に変換する変換手段と、体重と体脂肪率の値を目標値として表示する表示手段とを備える。
【発明の効果】
【０００７】
本発明によれば、運動量ではなくユーザの生体情報から簡易に目標値を設定することができるとともに、この目標値を設定するにあたっては、目標値をユーザの現在の状態に近い状態に細かに設定しユーザのモチベーションを維持することでユーザが理想の体型となるための支援を行う理想体型支援装置を提供することができる。
【発明を実施するための最良の形態】
【０００８】
以下、本発明の実施の形態について図面を参照して詳細に説明する。
【０００９】
図１に示す情報端末１は、例えば、パソコン等の情報端末であり、ＣＰＵ（Central Processing Unit）１ａと、ＲＯＭ(Read Only Memory)１ｂと、ＲＡＭ（Random Access Memory）１ｃ及び入出力インターフェイス１ｄがバス１ｅを介して接続されている。入出力インターフェイス１ｄには、入力手段１ｆと、表示手段１ｇと、通信制御手段１ｈと、記憶手段１ｉと、リムーバブルディスク１ｊと、駆動部制御手段１ｋとが接続されている。この駆動部制御手段１ｋは、ＣＰＵ１ａからの指示に基づいて情報端末１の各駆動部の駆動を制御する。
【００１０】
なお、以下、本発明における理想体型支援装置は、情報端末１に搭載されている場合を例に挙げて説明するが、例えば、理想体型支援装置を搭載するサーバが電気通信回線に接続されており、このサーバと生体情報を入力するとともに目標値を表示する端末とが電気通信回線等を通じて接続されているような構成であっても同様の効果を奏する。
【００１１】
ＣＰＵ１ａは、入力手段１ｆからの入力信号に基づいてＲＯＭ１ｂから情報端末１を起動するためのブートプログラムを読み出して実行し、記憶手段１ｉに格納されている各種オペレーティングシステムを読み出す。さらにＣＰＵ１ａは、入力手段１ｆや入出力インターフェイス１ｄを介して、図１においては図示していない外部機器からの入力信号に基づいて各種装置の制御を行ったり、ＲＡＭ１ｃや記憶手段１ｉ等に記憶されたプログラム及びデータを読み出してＲＡＭ１ｃにロードするとともに、ＲＡＭ１ｃから読み出されたプログラムのコマンドに基づいて、データの計算または加工等、一連の処理を実現する処理装置である。
【００１２】
入力手段１ｆは、情報端末１のユーザが各種の操作を入力するキーボード、マウス等の入力デバイスによって構成されている。ユーザの入力手段１ｆの操作に基づいて、例えば、ユーザの生体情報が入力信号として作成されバス１ｅを介してＣＰＵ１ａに送信される。また、図１には示していないが、有線或いは無線を問わず入出力インターフェイス１ｄを介して、例えば体脂肪計等の外部機器内にあるユーザの生体情報を直接入力することもでき、これらも入力手段１ｆの一例として挙げることができる。表示手段１ｇは、例えば液晶ディスプレイであり、例えばＣＰＵ１ａからバス１ｅを介して出力信号を受信し、ＣＰＵ１ａが行った理想体型支援処理等の各種処理結果を表示する手段である。
【００１３】
通信制御手段１ｈは、ＬＡＮカードやモデム等の手段であり、情報端末１をインターネットやＬＡＮ等の通信ネットワークに接続することを可能とする手段である。通信制御手段１ｈを介して通信ネットワークと送受信したデータは入力信号または出力信号として、入出力インターフェイス１ｄ及びバス１ｅを介してＣＰＵ１ａに送受信される。
【００１４】
記憶手段１ｉは、半導体や磁気ディスクで構成されており、ＣＰＵ１ａで実行されるプログラムやデータが記憶されている。リムーバブルディスク１ｊは、光ディスクやフレキシブルディスクのことであり、ディスクドライブによって読み書きされた信号は、入出力インターフェイス１ｄ及びバス１ｅを介してＣＰＵ１ａに送受信される。
【００１５】
本発明の実施の形態における情報端末１の記憶手段１ｉには、例えば、入力手段から入力されたユーザの生体情報を処理してユーザに対して表示する理想体型支援プログラム等のプログラムや理想体型の支援として設定される目標値等のデータが記憶される。また、理想体型支援プログラム等が情報端末１のＣＰＵ１ａに読み込まれ実行されることにより、理想体型支援装置２が情報端末１に実装される。
【００１６】
本発明の実施の形態における理想体型支援装置２は、図２に示すように、入力手段１ｆから送信されたユーザの生体情報を受信する受信手段２ａと、このユーザが現在どのような状態（体型）にあるかを判定する判定手段２ｂと、判定手段２ｂの判定結果に基づいて目標値を設定する目標値設定手段２ｃと、設定された目標値のＢＭＩ（Body Mass Index）値を体重の値へと変換する変換手段２ｄと、目標となる体重及び体脂肪率の値を表示手段１ｇに送信する送信手段２ｅとから構成される。
【００１７】
以下、理想体型支援装置２内の各手段の役割及び目標値がユーザに示されるまでの手順を、図２及び図３ないし図８を用いて説明する。
【００１８】
まず、この理想体型支援装置２を初めて使用する場合における目標値の設定手順を説明する。
【００１９】
図２に示す判定手段２ｂは、入力手段１ｆから送信されたユーザの生体情報を受信手段２ａを介して収集する（図３のＳＴ１）。この生体情報は、ユーザのＢＭＩ値及び体脂肪率の値である。本発明の実施の形態においてはＢＭＩ値が直接入力される。これらの値は、入力手段１ｆから入力されても、例えば、体脂肪計等の機器と接続されて当該機器の保存するデータがデータ送信等によって直接入力されても良い。
【００２０】
なお、このＢＭＩ値は、体重を身長の二乗で除することにより求めることができることから、例えば、直接ＢＭＩ値ではなく、ユーザの身長及び体重が入力されても良く、その場合には、図２には図示しない算定手段によってＢＭＩ値が算定される。すなわち、図３のステップ１の部分が２つのステップに分かれる。具体的には、図４のフローチャートに示すように、入力されたユーザの身長及び体重の情報が受信手段２ａに入力され（ＳＴ１ａ）、これらの値から算定手段が上述した計算式に基づいてＢＭＩ値を算出する（ＳＴ１ｂ）。この算出されたＢＭＩ値は判定手段２ｂに送られる。
【００２１】
次に、判定手段２ｂは、ユーザのＢＭＩ値及び体脂肪率の値と記憶手段１ｉに記憶されている体型判定表との間で比較を行って、ユーザが現在どのような状態（体型）にあるかを判定する（ＳＴ２）。この体型判定表は、図５に示すように、横軸にＢＭＩ値を取り、縦軸に体脂肪率の値を取っている。体脂肪率の値については、さらに男女に分けて示している。ＢＭＩ値については、１９までの数値であれば「やせ」、１９ないし２５が「普通」、２５以上が「肥満」と分類される。一方、体脂肪率の値については、例えば、男性の場合であれば、１５％までの数値であれば「やせ」、１５％ないし２０％が「普通」、２０％以上が「肥満」と分類される。
【００２２】
そして、さらに、図５に示すようにＢＭＩ値及び体脂肪率の値のいずれもが「やせ」の領域に入る場合を「１」、ＢＭＩ値が「普通」で体脂肪率の値が「正常」の領域に入る場合を「５」というように、便宜上ＢＭＩの値及び体脂肪率の値の領域を９つの領域に分けてそれぞれに番号を振る。このような番号の振り方の場合、「５」の領域に含まれる数値を示す体型が標準的な体型であるとされる。
【００２３】
図６は、図５で９つの領域に分けた体型判定表のうち、「９」の領域をさらに細かく「９（１）」ないし「９（６）」のように６つの領域に分けたことを示す説明図である。図６では「９」の領域のみを示しているが、「６」及び「８」の領域等も同様に細かく分類しても良い。このように細かく分類することによって、特にダイエットを行う際にユーザに対して細かく目標値を設定して表示させることができる。なお、本発明の実施の形態においてはこのように分類したが、領域の分け方やそれぞれの領域の区別の仕方は自由である。
【００２４】
図５または図６に示す体型判定表を用いて、例えば、ユーザが男性であって、入力されたＢＭＩ値が「２７．１」、体脂肪率の値が「２９．８％」の場合、判定手段２ｂは、このユーザの状態（体型）は現在「９」の領域、さらに細かく分類されていることを示す図６に従えば、「９（５）」の領域に該当するとの判定を行う（図３のＳＴ２参照）。そしてこの判定結果を記憶手段１ｉに記憶する（ＳＴ３）。
【００２５】
目標値設定手段２ｃは、ユーザの現在の状態（体型）と上述した体型判定表（図５、図６参照）を用いてユーザが理想の体型となるような目標値を設定する。例えば、図５においては「５」の領域が標準的な体型を示す領域であることから、例えば、現在「９」の領域に該当するユーザは、最終的にＢＭＩ値及び体脂肪率の値がともに「５」の領域に入るような目標値が設定される。
【００２６】
但し、「９」の領域からいきなり「５」の領域に入るような目標値をユーザに示した場合、目標が高すぎてユーザの理想の体型を得ようとするモチベーションが続かない可能性がある。そこで、本発明の実施の形態においては、目標値を設定する際に、直接「５」の領域に含まれる数値を目標値として設定するのではなく、より「９」の領域に近い「６」の領域、或いは「８」の領域に含まれる数値を目標値として設定する。すなわち、目標値を設定する場合には、直接ユーザが理想とする体型の領域内に含まれる数値を設定するのではなく、体型判定表に示される現在のユーザの状態（体型）を示す領域と縦軸、或いは横軸において隣接する領域における数値を目標値として設定する。
【００２７】
例えば、図６に示す「９」の領域をさらに細分化した体型判定表で「９（５）」の領域にいるユーザに対しては、目標値設定手段２ｃは、より「５」の領域に近い「９（１）」の領域内に含まれる数値ではなく、「９（２）」或いは「９（４）」の領域に含まれる数値を目標値として設定する（ＳＴ４）。いずれの領域に含まれる数値を目標値とするかは、それらの領域に含まれる数値に対して、現在のユーザの状態（体型）を示すＢＭＩ値または体脂肪率の値がより近いかを判断することで決定される。
【００２８】
そして、設定された目標値のうちＢＭＩ値を体重で表示するために、変換手段２ｄによってＢＭＩ値が体重の値へと変換される。このように、ＢＭＩ値を体重の値への変換するのは、体型判定表との比較を行う上ではＢＭＩ値の方が便利であるため、入力もＢＭＩ値でなされるが、実際にユーザに対して目標値を表示する際には、ＢＭＩ値を表示するよりも体重の表示の方がよりユーザの理解が早いと考えられるからである。ＢＭＩ値から体重への変換は、ＢＭＩ値に身長の二乗を乗ずることにより求めることができる。
【００２９】
表示手段１ｇは、理想体型支援装置２の送信手段２ｅから送信された体重と体脂肪率の値を目標値として表示する。図７は表示手段１ｇに表示した画面の一例を示す模式図である。図７では、画面例の中央やや下の部分に、「体重」と「体脂肪」の２つの項目について「直近目標」と「最終目標」の２つの目標が示されている。その上方には、右側に「測定日」や「体型判定」といった各項目毎の数値を示す表が設けられ、その左側にはこれら各項目の中から６つの項目についてのレーダーチャートが設けられている。また、目標値の表の下方には「コメント欄」が設けられている。なお、図７に設けられている各表や図及びその配置の仕方はあくまでも例示であって、どのような内容をどのような配置で表示させるかは自由である。
【００３０】
図７の目標値の表における「直近目標」には、現在のユーザの状態（体型）が示す数値が体型判定表における「９（５）」の領域内に含まれる数値であることから、上述のように、「９（２）」の領域に含まれる数値（体重が７１．７ｋｇ、体脂肪率の値が２８．０％）が目標値として表示されている。一方、「最終目標」に表示されている数値（体重が５８．９ｋｇ、体脂肪率の値が１７．５％）は、体型判定表における「５」の領域に含まれる数値である。このように、最終目標のみならず直近の目標も同時に表示することによって、ユーザの理想の体型を得ようとするモチベーションの維持を図ることができる。なお、表示された直近の目標値も記憶手段１ｉに記憶される。
【００３１】
次に、この理想体型支援装置２を２度以上使用している場合における目標値の設定手順を説明する。
【００３２】
図８のフローチャートに示すように、ユーザの生体情報を収集し、判定手段２ｂによって体型判定表と比較されて現在のユーザの状態（体型）が判定され、この判定結果が記憶手段１ｉに記憶されるまでは上述した初回の使用と同様である（ＳＴ１ないしＳＴ３）。
【００３３】
理想体型支援装置２を複数回使用している場合は、記憶手段１ｉに前回入力した際の生体情報（体型）及びこの生体情報（体型）に基づいて設定された目標値（以下、「直近の目標値」という。）が記憶されていることから、この直近の目標値と今回（現在）の体型を示す数値とが判定手段２ｂにおいて比較される（ＳＴ１１）。比較の結果、今回の体型を示す数値が直近の目標値を達成していれば、例えば、「目標達成おめでとう」のメッセージが作成され、達成していなければ、例えば、「もう少しがんばりましょう」といったメッセージが作成される。
【００３４】
さらに、現在のユーザの状態（体型）から次の目標値が目標値設定手段２ｃによって設定され（ＳＴ４）、作成されたメッセージと目標値が表示手段１ｇに送信されて表示される（ＳＴ１４）。表示手段１ｇへの表示例は、例えば図７の通りであり、また図９に示すような画面例もある。
【００３５】
図９は表示手段１ｇに表示した画面の一例を示す模式図である。理想体型支援装置２を複数回利用すると、体脂肪率の値や目標値等の各項目が記憶手段１ｉに複数記憶されることになる。従って、これらの各項目を、例えば一次近似して変化率を計算し表示させることも可能である。図９では、「体脂肪率」や「体重」等複数の項目について変化率が表示され、目標値が二重線で示されている。図９の画面例では、いずれの項目も目標値を示す二重線と交わっていないことから、設定された目標を達成できていないことがわかる。そのため、表の上段に「もう少しがんばりましょう」といったメッセージが表示されている。
【００３６】
なお、ここでは、目標値を表示する画面にメッセージも併せて表示される例を挙げて説明したが、メッセージの表示は必ずしも必要ではなく、メッセージが作成されない、或いは作成はされるが表示されないようにすることも可能である。
【００３７】
このように、目標値設定手段２ｃにおいては、現在のユーザの状態（体型）を基に体型判定表と比較をして目標値を設定している。但し、ユーザの現在の状態（体型）が、以前設定した目標値よりも悪い状態、すなわち、標準的な体型を示す数値を含む「５」の領域からより離れた領域に移っている場合も考えられる。例えば、ユーザの生体情報が示す数値がもともと「９（６）」の領域にあり、運動等を行うことで「９（５）」の領域内に含まれる数値を得るまでになったが、しばらく運動等をせずにいたため、ユーザの現在の状態（体型）を示す数値が「９（６）」の領域に含まれる数値まで戻ってしまった場合である。
【００３８】
このような場合、本発明の実施の形態においては、目標値設定手段２ｃは、標準体型を示す数値を含む領域である「５」の領域を基準にして、一旦設定した目標値よりも悪い（「５」の領域から遠ざかる）目標値は設定しないようにされている。これは、ユーザのモチベーションを維持させるとともに、特に体型判定表の各領域の境界付近にユーザの状態（体型）がある場合には、入力される数値によってその位置が簡単に変動するため、厳密に目標値を設定することは好ましくないと考えられるからである。
【００３９】
従って、上述の例では、目標値設定手段２ｃは、「９（６）」の領域から一旦「９（５）」の領域に数値が移り目標を達成した後に「９（６）」の領域に戻ってしまっても、改めて「９（３）」の領域または「９（５）」の領域内に含まれる数値を目標値として設定せずに、現在ユーザは「９（５）」の領域に含まれる数値の状態にあるとして「９（２）」の領域または「９（４）」の領域に含まれる数値を目標値として設定する。
【００４０】
なお、通常は、目標値設定手段２ｃはこのように目標値を設定するが、ユーザによっては、現在の自らの状態（体型）を前提として改めて理想体型を得たい場合もある。そこで、理想体型支援装置２内に解除手段２ｆ（図２参照）を設け、目標値設定手段２ｃが目標値を設定する場合に、これまで達成した目標値以上の目標値を設定するという設定をユーザが任意に解除することが可能とされている。例えば、図７の画面例では、目標値を示す表の下に設けられている「目標再設定」のボタンαを押し下げる（クリックする）ことで、目標値設定手段２ｃのこれまで達成した目標値以上の目標値を設定するという設定を解除することができ、ユーザの現在の状態（体型）を基に目標値が再設定される。
【００４１】
さらに、理想体型支援装置２を所定の期間利用していなかった場合には、上述したような目標値設定手段２ｃの目標値の設定を自動的に解除するように設定しても良い。この場合は、図２の理想体型支援装置２には図示していない受信手段２ａ及び解除手段２ｆに接続されたタイマによって、前回の利用と今回の利用との間に任意に設定された所定期間以上の間隔が空いていることが明らかになった場合には、目標値設定手段２ｃがこれまで達成した目標値以上の目標値を設定する設定が自動的に解除され、ユーザの現在の状態（体型）を基礎とした目標値が設定される。
【００４２】
このようにして、運動量ではなくユーザの生体情報から簡易に目標値を設定することができるとともに、この目標値を設定するにあたっては、目標値をユーザの現在の状態に近い状態に細かに設定しユーザのモチベーションを維持することでユーザが理想の体型となるための支援を行う理想体型支援装置を提供することができる。
【００４３】
なお、この発明は、上述実施の形態そのままに限定されるものではなく、実施段階ではその要旨を逸脱しない範囲で構成要素を変形して具体化できる。また、上記実施の形態に開示されている複数の構成要素を適宜組み合わせることにより種々の発明を形成できる。例えば、実施の形態に示される全構成要素から幾つかの構成要素を削除してもよく、異なる実施の形態に亘る構成要素を適宜組み合わせてもよい。
【図面の簡単な説明】
【００４４】
【図１】本発明の実施の形態に係る情報端末の内部構成を示すブロック図である。
【図２】本発明の実施の形態に係る理想体型支援装置の内部構成を示すブロック図である。
【図３】本発明の実施の形態に係る目標値を設定する流れを示すフローチャートである。
【図４】本発明の実施の形態に係る目標値を設定する流れを示すフローチャートである。
【図５】本発明の実施の形態に係る理想体型支援装置において使用される体型判定表を示す説明図である。
【図６】本発明の実施の形態に係る理想体型支援装置において使用される体型判定表の一部の領域を示す説明図である。
【図７】表示手段に表示した画面の一例を示す模式図である。
【図８】本発明の実施の形態に係る目標値を設定する流れを示すフローチャートである。
【図９】表示手段に表示した画面の一例を示す模式図である。
【符号の説明】
【００４５】
１ｆ…入力手段
１ｇ…表示手段
１ｉ…記憶手段
２ａ…受信手段
２ｂ…判定手段
２ｃ…目標値設定手段
２ｄ…変換手段
２ｅ…送信手段
２ｆ…解除手段
【図１】
2008027293.tif 000003
【図２】
2008027293.tif 000004
【図３】
2008027293.tif 000005
【図４】
2008027293.tif 000006
【図５】
2008027293.tif 000007
【図６】
2008027293.tif 000008
【図７】
2008027293.tif 000009
【図８】
2008027293.tif 000010
【図９】
2008027293.tif 000011